(57)【要約】【課題】筐体を閉じた状態であっても時刻の視認性を十分に確保できると共に、高級感を持たせる。【解決手段】携帯電話１００の筐体１の表示側１ａの外側面、すなわち、筐体１を閉じた状態で外側となる面１ｃには、アナログ・クォーツ時計５０が設けられている。この携帯電話１００にあっては、このアナログ・クォーツ時計５０の時刻が、携帯電話１００が備えるディスプレイに表示された時計と同期するよう構成されている。【選択図】      図１
2004200918.tif 000002
【特許請求の範囲】
【請求項１】
筐体が開閉構造となる携帯情報機器であり、当該筐体を開いたときに現れる内部表示部を備え、当該内部表示部に時刻を表示する携帯情報機器において、
前記筐体を閉じたときに外側となる部分に、指針式のアナログ時計が設けられ、
前記アナログ時計は、前記内部表示部に表示された時刻と同期して時刻を表示する
ことを特徴とする携帯情報機器。
【請求項２】
筐体が開閉構造となる携帯情報機器であり、当該筐体を開いたときに現れる内部表示部を備え、当該内部表示部に時刻を表示する携帯情報機器において、
前記筐体を閉じたときに外側となる部分に、指針式のアナログ時計が設けられ、
前記アナログ時計の指針は、前記内部表示部に表示する時刻を計時する回路からの信号に従って駆動される
ことを特徴とする携帯情報機器。
【請求項３】
前記アナログ時計が備える基板と、前記携帯情報機器が備える基板とが電気的に導通されている
ことを特徴とする請求項１または２に記載の携帯情報機器。
【発明の詳細な説明】
【０００１】
【発明の属する技術分野】
この発明は、携帯電話やＰＤＡ（Personal Digital Assistants）等の携帯情報機器に関する。
【０００２】
【従来の技術】
現在、画面表示部と操作部とがヒンジ構造により結合し、このヒンジ構造により開閉可能なフリップ式の携帯電話が人気である。このフリップ式の携帯電話は、筐体を開いたときに通話側となる面に液晶表示パネルや有機ＥＬ（Electro Luminescence）パネルによる画像表示部、複数のボタンやジョグダイヤル等の操作部が位置している（例えば、特許文献１参照）。また、最近では、比較的高価な携帯電話には、筐体を閉じたときにも情報を表示できるように、画像表示部の反対面に比較的小さな画像表示部が設けられていることが多くなっている。この小さな画像表示部には、主に電力残量、電波状態、着信表示、デジタル時計等がデジタル表示されている。
【０００３】
ところで、最近の携帯電話の普及により腕時計を持たないユーザが増えている。彼らは時刻を知りたい場合、携帯電話の小さい画面表示部やメインの画像表示部に表示されている時計を見ることで、時刻を認識する。また、流行しているカフェ等では、女性がテーブル上に携帯電話を置き、クロック代わりにしている風景が見られるようになった。
【０００４】
【特許文献１】
特開２００２−９９１４号公報（図３）
【０００５】
【発明が解決しようとする課題】
しかしながら、上記従来のフリップ式の携帯電話は依然として液晶表示パネルや有機ＥＬパネルに時刻を表示しており、高級感やお洒落さに欠けるといった問題点がある。また、筐体の外側に設けた小さい画像表示部には、液晶パネルや有機ＥＬパネルが用いられ、時刻がデジタル表示されているのが現状であり、十分な視認性が確保されていないといった問題があった。
【０００６】
本発明は上述した事情に鑑みてなされたものであり、筐体を閉じた状態であっても時刻の視認性を十分に確保できると共に、高級感を有する携帯情報機器を提供することを目的とする。
【０００７】
【課題を解決するための手段】
上記目的を達成するために、本発明は、筐体が開閉構造となる携帯情報機器であり、当該筐体を開いたときに現れる内部表示部を備え、当該内部表示部に時刻を表示する携帯情報機器において、前記筐体を閉じたときに外側となる部分に、指針式のアナログ時計が設けられ、前記アナログ時計は、前記内部表示部に表示された時刻と同期して時刻を表示することを特徴とする携帯情報機器を提供する。
【０００８】
また、上記目的を達成するために、本発明は、筐体が開閉構造となる携帯情報機器であり、当該筐体を開いたときに現れる内部表示部を備え、当該内部表示部に時刻を表示する携帯情報機器において、前記筐体を閉じたときに外側となる部分に、指針式のアナログ時計が設けられ、前記アナログ時計の指針は、前記内部表示部に表示する時刻を計時する回路からの信号に従って駆動されることを特徴とする携帯情報機器を提供する。
【０００９】
上記携帯情報機器によれば、筐体を閉じたときに外側となる部分に、前記内部表示部に表示された時刻と同期して時刻を表示する指針式のアナログ時計が設けられた構成となっているため、時刻の視認性を高めることができると共に、高級感を持たせることができる。
さらに、内部表示部に表示される時刻とアナログ時計の時刻とが同期することから、２つの時刻表示にずれのない表示が可能となる。
【００１０】
ここで、上記携帯情報機器において、前記アナログ時計が備える基板と、前記携帯情報機器が備える基板とが電気的に導通されている構成が好ましい。
【００１１】
【発明の実施の形態】
以下、図面を参照して本発明の実施の形態について説明する。この実施形態では、携帯情報機器として携帯電話を例示する。
図１は、本発明の実施形態に係る携帯電話１００を示す斜視図である。また、図２は、図１に示した携帯電話１００の断面構成図である。図３は、図１に示した携帯電話１００のブロック図である。この携帯電話１００は、その筐体１内に、二次電池である電源２と、携帯電話１００の制御等を行う回路基板３と、情報を表示する液晶表示パネルや有機ＥＬパネル等のディスプレイ４（内部表示部）と、アナログ・クォーツ時計５０のムーブメント５とを備えている。筐体１は、ヒンジ部６により全体的に二分割されたフリップ構造となり、図１（ｂ）に示すように、表示側１ａにディスプレイ４及びスピーカー７が設けられ、操作側１ｂに操作キー（操作パネル）８及びマイク９が設けられている。回路基板３は分割筐体１の表示側１ａに主に内蔵され、電源２は操作側１ｂに内蔵される。
【００１２】
また、筐体１の表示側１ａの外側面、即ち図１（ａ）に示すように、筐体１を閉じた状態で外側となる面１ｃには、アナログ・クォーツ時計５０が設けられている。アナログ・クォーツ時計５０の電源は携帯電話１００の電源２と共通である。このアナログ・クォーツ時計５０は、同図に示すように、三針式、すなわち、秒針５１２、分針５１３および時針５１４を備えたアナログ・クォーツ時計である。なお、アナログ・クォーツ時計５０として分針５１３と時針５１４のみからなる二針式のものを用いても良いことは勿論である。
【００１３】
このように、携帯電話１００が、その筐体１の表示側１ａの外側面（面１ｃ）に、アナログ・クォーツ時計５０を備える構成であることにより、ユーザは携帯電話１００を開かなくとも時刻を視認することができる。また、指針式であるため、デジタル時計と異なり視認性が向上すると共に、更に、デジタル表示の無機質感を払拭しデザイン上の高級感を持たせることができ、特に女性のユーザに好感を持たせることが期待できる。
【００１４】
ところで、上記のように、携帯電話１００にはディスプレイ４に表示される時計１０とアナログ・クォーツ時計５０との２つの時計が設けられており、本実施形態では、このアナログ・クォーツ時計５０の時刻が時計１０と同期するように構成されている。以下、かかる構成について説明する。
【００１５】
図３は、携帯電話１００の機能的構成を示すブロック図である。同図において、電源２、回路基板３、ディスプレイ４および操作キー８は、従来の一般的な携帯電話１００が備えるものであり、アナログ・クォーツ時計５０のムーブメントは、携帯電話１００の電源２から電力の供給を受ける構成となっている。一般的にアナログ・クォーツ時計５０の消費電力は通常の携帯電話の消費電力に比べて格段に小さいので、ムーブメントが電源２から電力を供給される構成としたとしても携帯電話１００の電力消費に悪影響を及ぼすことはない。なお、アナログ・クォーツ時計５０の電源として、携帯電話１００の電源ではなく、通常のボタン電池や太陽電池を用いても良いことは勿論である。
【００１６】
上述したように、ディスプレイ４にはデジタル表示またはアナログ表示を行う時計１０が表示される構成となっており、携帯電話１００が備える回路基板３上に設けられた集積回路３ａには、この時計１０の計時制御を行うための回路が集積されている。具体的には、集積回路３ａは、水晶発振子（クォーツ）を備え、所定周波数（例えば、３２．７６８ｋＨｚ）のクロック信号を分周回路３１に出力する発振回路３０を備えている。分周回路３１は、発振回路３０からのクロック信号を分周し、１Ｈｚのクロック信号を生成して駆動制御回路３２に出力する。駆動制御回路３２は、分周回路３１からのクロック信号に基づいて時刻を計時するカウンタ回路を備え、時刻情報を液晶表示体駆動回路３３に出力する一方で、秒モータ駆動回路３４に対して秒針５１２の運針タイミングを指示するクロック信号を出力すると共に、分時モータ駆動回路３５に分針５１３の運針タイミングを指示するクロック信号を出力する。
【００１７】
液晶表示体駆動回路３３は、ディスプレイ４が備える液晶パネルを駆動し、各種情報を表示させるものであり、駆動制御回路３２からの時刻情報に基づいて現在時刻を示す時計１０を表示させる。これにより、図１（ｂ）に示す如くの時計１０がディスプレイ４に表示されることとなる。
【００１８】
一方、秒モータ駆動回路３４は、駆動制御回路３２からのクロック信号に基づいてアナログ・クォーツ時計５０の秒針５１２を駆動すべく、アナログ・クォーツ時計５０のムーブメント５が備える秒電磁モータ５００、および、この秒電磁モータ５００に結合した輪列を駆動するものである。また、分時モータ駆動回路３５は、駆動制御回路３２からのクロック信号に基づいて分針５１３を駆動すべく、分時電磁モータ５０１、および、この分時電磁モータ５０１に結合した輪列を駆動するものである。すなわち、本実施形態にあっては、アナログ・クォーツ時計５０のムーブメント５が一般的な携帯電話１００が備える計時１０のための回路により駆動され、アナログ・クォーツ時計５０の秒針５１２、分針５１３および時針５１４の各々が運針する構成、換言すれば、アナログ・クォーツ時計５０が計時のための回路を携帯電話１００が従来備える回路と共有する構成となっているため、アナログ・クォーツ時計５０とディスプレイ４に表示される時計１０との間で同期のとれた、ずれのない時刻表示が可能となる。さらに、携帯電話１００がアナログ・クォーツ時計５０を備えたとしても、計時のための回路を１つにすることができるため、コストを低減することができる。
【００１９】
次いで、アナログ・クォーツ時計５０が備えるムーブメント５の構成と共に、このムーブメント５の携帯電話１００への実装について説明する。図４は、ムーブメント５の機械的構成を示す上面図であり、図５は、その断面図である。図４および図５に示すように、ムーブメント５は、秒針５１２を運針駆動するための駆動機構と、分針５１３および時針５１４を運針駆動するための駆動機構とを各々独立して備えている。より具体的には、ムーブメント５は、秒針５１２を駆動する駆動機構として、永久磁石からなる秒ロータ５００ａ、この秒ロータ５００ａの回りに設けられた高透磁材からなる秒ステータ５００ｂ、および、秒モータ駆動回路３４からのクロック信号に応じて秒ステータ５００ｂに磁界を発生する秒コイルブロック５００ｃとからなる秒電磁モータ５００と、この秒電磁モータ５００の回転と連動する五番車５０６と、この五番車５０６と連動して秒針５１２を駆動する四番車５０７とを備えている。すなわち、秒コイルブロック５００ｃに秒モータ駆動回路３４からクロック信号（パルス電圧）が入力されると、電磁誘導により秒ステータ５００ｂに磁界が発生し、この磁界により秒ロータ５００ａが回転する。この回転は、五番車５０６を介して四番車５０７に伝達され、これにより、秒針５１２が駆動される。
【００２０】
また、ムーブメント５は、分針５１３および時針５１４を駆動する駆動機構として、分時ロータ５０１ａ、分時ステータ５０１ｂおよび分時コイルブロック５０１ｃからなる分時電磁モータ５０１と、この分時ロータ５０１ａの回転と連動する中間車５０８と、この中間車５０８と連動して分針５１３を駆動する二番車５０９とを備えている。更に、ムーブメント５は、二番車５０９と噛合する日の裏車５１０と、この日の裏車５１０と連動して時針５１４を駆動する筒車５１１を備えている。すなわち、分時モータ駆動回路３５からのクロック信号が分時コイルブロック５０１ｃに入力されると、秒電磁モータ５００と同様に、分時ロータ５０１ａが回転し、この回転が中間車５０８を介して二番車５０９に伝達され、分針５１３が駆動される。また、二番車５０９の回転は、日の裏車５１０を介して筒車５１１にも伝達され、時針５１４が駆動される。
【００２１】
このように、本実施形態では、秒針５１２と分針５１３、時針５１４とが各々独立した駆動機構により駆動される構成となっているが、これは次の理由による。すなわち、本実施形態では、アナログ・クォーツ時計５０の時刻修正には、時刻修正機構および回路を携帯電話１００の回路と共用するため、一般的なアナログ時計にて行われるように機械的構造によって竜頭を回転させて時刻を修正するのではなく、電磁モータに電気的な信号を入力することにより時刻を修正する構成となっている。この構成において、各針５１２、５１３、５１４が１つの駆動機構から歯車駆動の連動により各々駆動されるとすると、例えば、１時間の修正をするのに、６０×６０＝３６００秒分を駆動させなければならない。仮に１２８Ｈｚの早送り駆動をしても約２８（≒３６００／１２８）秒かかることとなり、時刻修正に時間と手間が非常にかかってしまう。
【００２２】
そこで、本実施形態では、時刻の最小単位である秒を刻む秒針５１２と、分針５１３および時針５１４とを各々独立の駆動機構にて駆動し、時刻修正に要する時間を短縮しているのである。なお、これと同様に、分針５１３と時針５１４とを各々独立の駆動機構にて駆動させる構成であっても良く、これにより、時刻修正に要する時間を更に短縮することが可能である。
【００２３】
さて、上述した駆動機構が備える輪列は、図５に示すように、輪列受５４５により軸支されており、ガタなどが防止される構成となっている。更に、図４に示すように、上記秒電磁モータ５００が備える秒コイルブロック５００ｃは、フレキシブル基板５５０からリード線が引き出された秒コイルリード基板５６０に電気的に接続され、また、分時電磁モータ５０１が備える分時コイルブロック５０１ｃは、フレキシブル基板５５０からリード線が引き出された分時コイルリード基板５６１に電気的に接続されている。また、フレキシブル基板５５０は、図６に示すように、携帯電話１００が備える回路基板３に、はんだ付け部５７０を介して電気的に接続される。すなわち、秒コイルブロック５００ｃおよび分時コイルブロック５０１ｃは、回路基板３と導通がとられており、回路基板３上の集積回路３ａが備える秒モータ駆動回路３４および分時モータ駆動回路３５からのクロック信号が、対応するコイルブロック５００ｃ、５０１ｃの夫々に入力される。また、フレキシブル基板５５０およびコイルリード基板５６０の各々は、回路押え板５６５によって文字板５８０の方向に押え付けられている。
【００２４】
上述したように、このアナログ・クォーツ時計５０は、液晶パネルを供えるディスプレイ４の裏側、すなわち、筐体１を閉じた状態で外側となる面１ｃに設けられている。より具体的には、図６に示すように、アナログ・クォーツ時計５０は、四角形の胴５９１にムーブメント５と共に嵌め込み固定されている。より具体的には、図７に示すように、アナログ・クォーツ時計５０は、ムーブメント５、文字板５８０、各針５１４、５１３、５１２が、この順で積層し、胴５９１に収容されている。また、文字板５８０の周囲には縁５９２が設けられ、この縁５９２の上に文字板５８０を覆うカバーガラス５８２が設けられている。一方、ディスプレイ４の図面上側には、プラスチック材からなる受部材５９０が設けられており、この受部材５９０の上面には、胴５９１と係合する凹部５９１ａが形成されており、この凹部５９１ａに胴５９１を嵌め込むことにより、アナログ・クォーツ時計５０が取り付け固定される。このように、胴部５９１と凹部５９１ａとの形状が多角形となっているため、アナログ・クォーツ時計５０を固定する際の位置決めが容易となり、また、アナログ・クォーツ時計５０の回転が防止されることとなる。
【００２５】
以上説明したように、本実施形態によれば、携帯電話１００が、その筐体１の表示側１ａの外側面（面１ｃ）に、アナログ・クォーツ時計５０を備える構成であるため、ユーザは携帯電話１００を開かなくとも時刻を視認することができる。また、指針式であるため、デジタル時計と異なり視認性が向上すると共に、更に、デジタル表示の無機質感を払拭しデザイン上の高級感を持たせることができる。
また、アナログ・クォーツ時計５０の計時のための回路を携帯電話１００が備える回路と共用にする構成であるため、アナログ・クォーツ時計５０と携帯電話１００のディスプレイ４に表示される時計１０との間で時刻のずれが防止される。
【００２６】
上述した実施形態は、あくまでも本発明の一態様であり、これに限定されるものではなく、本発明の範囲内で任意に変形可能である。例えば、上述した実施形態では、携帯情報機器として携帯電話を例示して説明したが、当該携帯電話のみならず、例えば、ＰＤＡと呼ばれる携帯情報機器や携帯型パーソナルコンピュータ、デジタルスチルカメラ、デジタルビデオカメラ、液晶テレビ、ページャ、電子手帳、電卓などが挙げられる。また、筐体がフリップ式でなくても、スライドする蓋が筐体に設けられ、当該蓋をスライドすることでメインのディスプレイが現れるような携帯情報機器の場合、このスライド蓋に、上記アナログ・クォーツ時計を設けても良い。
【００２７】
【発明の効果】
以上説明したように、本発明によれば、筐体を閉じた状態であっても時刻の視認性を十分に確保できると共に、高級感を有する携帯情報機器が提供される。
【図面の簡単な説明】
【図１】本発明の実施形態に係る携帯電話の外観構成を示す斜視図である。
【図２】同携帯電話の断面構成図である。
【図３】同携帯電話の機能的構成を示すブロック図である。
【図４】同アナログ・クォーツ時計のムーブメントの構成を示す上面図である。
【図５】同アナログ・クォーツ時計のムーブメントの構成を示す断面図である。
【図６】同アナログ・クォーツ時計の携帯電話への取り付けを説明するための上面図である。
【図７】同アナログ・クォーツ時計の携帯電話への取り付けを説明するための側断面図である。
【符号の説明】
１・・・筐体
３・・・回路基板
３ａ・・・集積回路
４・・・ディスプレイ
５・・・ムーブメント
８・・・操作キー
１０・・・時計
３２・・・駆動制御回路
３４・・・秒モータ駆動回路
３５・・・分時モータ駆動回路
５０・・・アナログ・クォーツ時計
１００・・・携帯電話
【図１】
2004200918.tif 000003
【図２】
2004200918.tif 000004
【図３】
2004200918.tif 000005
【図４】
2004200918.tif 000006
【図５】
2004200918.tif 000007
【図６】
2004200918.tif 000008
【図７】
2004200918.tif 000009